(57)【要約】  本発明は、回転ガントリー（２０）を備えたハドロン治療装置において患者の位置決めをするための患者位置決め画像形成装置に係わる。患者位置決め画像形成装置は、画像形成ビーム源（１２１）を連結するように配置された伸展式アームまたは折り畳み式旋回アーム（１２）を具備する回転構造（１０）と、画像形成ビームレシーバ（１４１）を支持するように配置された伸展式構造または折り畳み式旋回構造（１４）を含む。回転構造（１０）は、患者がハドロン治療装置のアイソセンターに対するオフセット位置に位置決めされている間に患者のＣＢＣＴショットを撮るために配置されており、オフセット位置は、回転ガントリー（２０）の回転軸の方向にある。回転構造（１０）は、回転ガントリー（２０）が固定されたままである間、且つ伸展式または旋回アーム（１２）及び伸展式または旋回構造（１４）が伸展した、または折り畳まれていない位置にある間、回転するように配置されている。
2008522677.tif 000002
【特許請求の範囲】
【請求項１】
ハドロン治療装置における患者位置決め用患者位置決め画像形成装置であって、前記ハドロン治療装置が回転ガントリー（２０）を具備し、前記患者位置決め画像形成装置が、画像形成ビーム源（１２１）を連結するように配置された伸展式アームまたは折り畳み式旋回アーム（１２）を具備する回転構造（１０）及び画像形成ビームレシーバ（１４１）を運搬するために配置された伸展式構造または折り畳み式旋回構造（１４）を含み、前記回転構造（１０）が、前記患者が前記ハドロン治療装置のアイソセンターに対するオフセット位置に位置決めされている間に前記患者のＣＢＣＴショットを撮るために配置されており、前記オフセット位置が前記回転ガントリー（２０）の回転軸の方向にあり、前記回転構造（１０）が、前記回転ガントリー（２０）が固定されたままである間、且つ前記伸展式または旋回アーム（１２）及び前記伸展式または旋回構造（１４）が伸展した、または折り畳まれていない位置にある間、回転するように配置されていることを特徴とする前記患者位置決め画像形成装置。
【請求項２】
前記画像形成ビーム源（１２１）が画像形成Ｘ−線照射源を含むことを特徴とする請求項１に記載の患者位置決め画像形成装置。
【請求項３】
前記画像形成ビームレシーバがフラットな画像パネルであることを特徴とする請求項１または２に記載の患者位置決め画像形成装置。
【請求項４】
前記旋回アームが、さらに、前記旋回アームが折り畳まれた位置にある時にＸ−線ビームが前記旋回アーム（１２）を通過することを可能にする透孔（１２２）をも有することを特徴とする請求項１から請求項３までのいずれか１項に記載の患者位置決め画像形成装置。
【請求項５】
前記旋回アーム（１２）及び前記旋回構造（１４）が異なる長さを有することを特徴とする請求項１から請求項４までのいずれか１項に記載の患者位置決め画像形成装置。
【請求項６】
前記回転構造（１０）が、さらに、少なくとも１つの凹部（３０）を有することを特徴とする請求項１から請求項５までのいずれか１項に記載の患者位置決め画像形成装置。
【請求項７】
前記ハドロン治療装置の前記回転構造（１０）及び前記回転ガントリー（２０）が同じ回転軸を有することを特徴とする請求項１から請求項６までのいずれか１項に記載の患者位置決め画像形成装置。
【請求項８】
前記回転構造（１０）が前記回転ガントリー（２０）の後方に取付けられていることを特徴とする請求項１から請求項７までのいずれか１項に記載の患者位置決め画像形成装置。
【請求項９】
前記回転構造（１０）が、伸展式支持アーム（５０）を介して前記回転ガントリー（２０）の後方に取付けられていることを特徴とする請求項８に記載の患者位置決め画像形成装置。
【請求項１０】
さらに、フラット・パネルが取付けられた入れ子構造をも含み、前記構造が前記凹部（３０）の上を移動可能であることを特徴とする請求項６に記載の患者位置決め画像形成装置。
【請求項１１】
ハドロンビーム治療に使用される患者位置決め情報を求める方法であって、以下のステップを含むことを特徴とする前記方法：
−  患者を治療位置近くのベッド（２８）上に置く、
−  請求項１から請求項１０までのいずれか１項に記載の患者位置決め画像形成装置の前記旋回構造及び前記旋回アームを展開するか、または前記伸展式構造及び前記伸展式アームを伸展させる、
−  患者保定装置を利用して前記回転ガントリーの回転軸の方向におけるオフセット位置に前記ベッドの位置を合わせる、
−  回転構造（１０）の回転を引き起こして連続するＣＢＣＴショットを撮る、
−  前記連続するＣＢＣＴショットに基づいて患者の３Ｄ画像を算出する、
−  ３Ｄ画像を治療計画システムからもたらされた画像と比較して前記患者保定装置のための補正ベクトルを計算する、
−  前記患者保定装置を前記補正ベクトルに基づいて補正された治療位置へ移動させる。
【請求項１２】
患者の位置または呼吸サイクルに関する情報を求める方法であって、前記情報はハドロンビーム治療に使用されるべきものであり、以下のステップを含むことを特徴とする前記方法：
−  患者を治療位置近くのベッド（２８）上に置く、
−  請求項１から請求項１０までのいずれか１項に記載の患者位置決め画像形成装置の前記旋回構造及び前記旋回アームを展開するか、または前記伸展式構造及び前記伸展式アームを伸展させる、
−  伸展式支持アーム（５０）を伸展させて患者位置決め画像形成装置を前記ハドロン治療装置のアイソセンターに移動させる、
−  ラジオグラフィまたはフルオロスコピーを利用して患者の画像を得て患者の位置または患者の呼吸サイクルに関する前記情報を求める。
【発明の詳細な説明】
【発明の分野】
【０００１】
本発明は、患者位置決め画像形成装置と、ハドロン治療装置において患者の位置決めをする方法に係わる。
【公知技術】
【０００２】
患者の体内に悪性腫瘍が発見されると、腫瘍は先ず、さらなる検査のために可視化される必要がある。これは、例えば、（第３世代）３Ｄコンピュータ断層撮影（ＣＴ）走査システムで行うことができる。このようにして収集された情報に基づいて臨床治療計画が作成される。その後、治療装置による実際の治療が開始される。
【０００３】
公知のハドロン治療装置では、例えば、陽子線治療において使用されるのと同様に、サイクロトロンのような加速装置によって加速された治療放射線ビームが、患者が治療用ベッドなどのような施術台に固定されている治療室へ誘導される。照射の前に、患者の体の問題部位が治療放射線ビームと一直線上に位置するように、施術台は、位置決めシステムによって正確に位置決めされなければならない。
【０００４】
照射は幾つもの異なる角度から行われることが多い。そのとき、放射線源を回転させるのに、ガントリー・システムが使用される。ハドロン治療の場合、典型的には、例えば、陽子、中性子またはα粒子または炭素イオンのようなハドロン粒子をノズルから患者の特定のターゲット部位、例えば、治療すべき腫瘍に向かって放射する。腫瘍塊は、アイソセンターと呼称される特定の基準点との関係で定義される。アイソセンターはノズルビーム進路の軸がガントリーの回転軸と交差する点である。治療の工程を通じて、アイソセンターは不変である。
【０００５】
治療計画の段階で設定されたターゲットだけにビームが照射されるように、患者が治療装置に対して正確に位置決めされる必要がある。さもないと、ビームが患者の体内の健康な細胞を損傷する恐れがある。従って、治療に先立つ正確な患者の位置決めは施術の成功にとって極めて重要である。
【０００６】
典型的には、治療を受ける患者は、定期的に治療を受けることになり、長期間に亘ってターゲットに繰返し照射が行われる。従って、毎回の治療に先立って、正しい患者の位置決めが必要とされる。
【０００７】
既に述べたように、治療放射線を照射する直前にターゲット塊の正確な位置を確認する工程が決定的に重要である。治療装置のアイソセンターに対して患者を正確に位置決めするため、先ず患者の体内の１つまたは２つ以上の目印を基準にしてターゲットの位置を決定する。この操作はＰＥＴ−スキャナのような外部の画像診断システムで行われる。標準的な患者位置決めにおいて、目印は患者の骨格上の点から成り、ターゲットの位置はこれらの目印を基準にして決定される。次いで、治療装置における患者保定装置（ｐｏｓｉｔｉｏｎｅｒ）のベッド上に患者を位置させる。ラジオグラフ、レーザー光線及び／または前記目印を示す能力を有する他の位置決め補助を利用して患者の位置を決定するいわゆる‘セットアップ’位置へ患者保定装置を移動させる。必要に応じて修正する。次いで、患者保定装置を利用して患者を順次治療位置へ移動させる。セットアップ位置においては、患者はアイソセンターまたはその近傍に位置することになる。このアプローチは、飽くまでもＣＴスキャンの時点と毎回の治療日と間で腫瘍が動いていないことを前提としている。
【０００８】
この制約はコーン・ビーム・コンピュータ断層撮影（ＣＢＣＴ）によって取り除かれる。ＣＢＣＴを利用すれば、療法士は患者の体内の３Ｄ画像を再構成することができる。画像で、骨格だけでなく軟組織をも観察することができる。療法士は患者体内の任意の部位の手動または自動３Ｄマッチングを行うことによって患者の位置を調整することができる。また、療法士が治療に先立つＣＴスキャンと治療期間中の腫瘍の変化との差異をモニターするのを助けることにもなる。ハドロン治療は現時点では最も正確な放射線治療技術であるから、療法士はより良い患者位置決めのためにＣＢＣＴ装置を最大限活用することができる。
【０００９】
ハドロン治療の環境においてＣＢＣＴ画像を得る解決方法の一例を図１に示す。このようなＣＢＣＴシステムにおけるデータ取得手段は、ノズルに配置されたＸ−線管と、フラット・パネルとから成る。これら２つの装置が患者の両側に配置され、患者の周りを可能な限り、理論上は３６０°に亘って回転し、その間、連続Ｘ−線ショットが撮られる。しかし、Ｘ−線管とフラット・パネルがビーム軸に対して９０°の角度となるようにガントリー上に配置される従来の放射線治療と比較して、プロトン治療では、別の幾つかの制約が図１のような構成において確認されている。即ち：
−  側部の半陰影（ｌａｔｅｒａｌ  ｐｅｎｕｍｂｒａ）をできるだけ少なくするため、開口（及びひいては開口を支持するノズル）をできる限り患者の近くにする。但し、患者保定装置の移動と開口／レンジ補正器の交換を可能にする距離が確保されるに過ぎない。ノズルと患者のベッドとの間でＸ−線管またはフラット・パネルを移動させることはできない。
−  ノズルの内側に位置するＸ−線管は、従来の放射線治療界と同じジオメトリー（即ち、Ｘ−線管、患者及びフラット・パネルの間の距離）を有するには、アイソセンターから遠く離れ過ぎている。ノズル・フレーム及び開口支持体のために、ノズルの内側に位置するＸ−線管を使用する視野は小さすぎる。
−  画像を得るための重いガントリー構造のフル回転は非実用的と感じられる。
【００１０】
ＣＢＣＴシステムを治療室内に配置するという解決方法も考えられるが、当然の結果として治療室のスペースがその分狭くなり、療法士にとっては不便である。
【００１１】
特許文献ＵＳ２００４／０２４３００−Ａ１には、１つまたは２つ以上の放射線源と対向するように多重エネルギー画像形成装置を位置決めする方法と装置が開示されている。高エネルギーのＸ−線照射線を発生させるためのＭＶエネルギー範囲の電子ビームを伝播することができる治療用照射源と、診断用のＫＶ  Ｘ−線照射源とを別々のアーム（ガントリー）に取付ければよく、そこでは、一方のアームが他方のアームの内側に添って配置されている。２つのアームは共通の旋回軸を有し、互いに独立して旋回することができる。また、内側アームは位置決めと間隔調整のため診断用放射線源を伸ばしたり、引っ込めたりすることができる。この文献においては、ターゲット塊の３次元画像作成に必要な、異なる角度での多重Ｘ−線画像を得るために、診断用放射線源と治療用放射線源との間の間隔が維持されるように両アーム（ガントリー）を一緒に回転させることが必要である。
【００１２】
患者に安心感を与えるためには、できる限り短時間で患者位置決めのための画像を得ることが望ましい。１分が位置決め画像を撮るのに費やす許容時間と考えられ、超過するべきでない。
【発明の開示】
【発明の目的】
【００１３】
本発明は、先行技術の解決法の幾つかの問題点を克服できるハドロン治療装置における患者位置決めのための患者位置決め画像形成装置及び方法を提供することを目的とする。
【発明の概要】
【００１４】
本発明は、ハドロン治療装置において患者を位置決め用患者位置決め画像形成装置に係わる。ハドロン治療装置には回転ガントリーが設けられている。患者位置決めシステムは、画像形成ビーム源を連結するように配置された伸展式アームまたは折り畳み式旋回アームを具備する回転構造と、画像形成ビームレシーバを運搬するために配置された伸展式構造または折り畳み式旋回構造を含む。回転構造は、患者がハドロン治療装置のアイソセンターに対するオフセット位置（回転ガントリーの回転軸の方向にずれた）に置かれている間に患者のＣＢＣＴショットを撮るために配置されており、それによって回転構造は、回転ガントリーが固定されたままである間、且つ伸展式または旋回アーム及び伸展式または旋回構造が伸展した、または折り畳まれていない位置にある間、回転するように配置されている。
【００１５】
好ましい実施例では、画像形成ビーム源が画像形成Ｘ−線照射源を含む。画像形成ビームレシーバはフラットな画像パネルであることが好ましい。有利には、回転構造に旋回アームが設けられ、旋回アームにさらに、旋回アームが折り畳まれた位置にある時にＸ−線ビームが旋回アームを通過することを可能にする透孔が設けられている。
【００１６】
有利な実施例では、旋回アームと旋回構造が異なる長さを有する。これによって位置決め装置を円滑に折り畳むことが可能になる。
【００１７】
他の実施例では、回転構造がさらに少なくとも１つの凹部を有する。
【００１８】
特定の実施例では、回転構造及び回転ガントリーが同じ回転軸を有する。
【００１９】
最も有利には、回転構造が回転ガントリーの後方に取付けられる。伸展式支持アームを介して後方に取付けられてもよい。
【００２０】
有利な実施例では、患者位置決め画像形成装置が、さらに、フラット・パネルが取付けられた入れ子構造を含み、前記構造が前記凹部の上を移動可能である。
【００２１】
もう一つの目的において、本発明は、上述のハドロンビーム治療に使用される患者位置決め情報を求める方法にも係わる。それは以下のステップを含む。：
−  患者を治療位置近くのベッド上に置く、
−  上述のハドロン治療装置に含まれる患者位置決め画像形成装置の旋回構造及び旋回アームを展開するか、または伸展式構造及び伸展式アームを伸展させる、
−  患者保定装置を利用して回転ガントリーの回転軸の方向におけるオフセット位置にベッドの位置を合わせる、
−  回転構造の回転を引き起こして連続するＣＢＣＴショットを得る、
−  連続するＣＢＣＴショットに基づいて患者の３Ｄ画像を算出する、
−  この３Ｄ画像を治療計画システムからもたらされた画像と比較して患者保定装置のための補正ベクトルを計算する、
−  患者保定装置を補正ベクトルに基づいて補正された治療位置へ移動させる。
【００２２】
他の目的において、本発明は、患者の位置または呼吸サイクルに関する情報を求める方法に係わり、前記情報はハドロンビーム治療に利用される。方法は以下のステップを含む：
−  患者を治療位置近くのベッド上に置く、
−  上述のハドロン治療装置に含まれる患者位置決め画像形成装置の前記旋回構造及び前記旋回アームを展開するか、または前記伸展式構造及び伸展式アームを伸展させる、
−伸展式支持アームを伸展させて患者位置決め画像形成装置を前記ハドロン治療装置のアイソセンターに移動させる、
−ラジオグラフィまたはフルオロスコピーを利用して患者の画像を得て患者の位置または患者の呼吸サイクルに関する前記情報を求める。
【発明の詳細な説明】
【００２３】
本発明は、ハドロン治療装置において患者の位置決めをするための患者位置決め画像形成装置及び方法を開示する。上述した種々の制約を克服するために、本発明による解決策は、はビーム治療装置のガントリーの内側に小型軽量の回転構造を含む患者位置決め画像形成システムを提供することにある。これには幾つかの利点がある。：
−  従来の放射線治療（ＲＴ）の場合と同じ間隔でＸ−線管とフラット・パネルを導入するのに充分なスペースが得られる。
−  従来のＲＴの場合と同様に全視野が得られる。
−  直交関係にあるフラット・パネルから完全に独立したシステムが得られる。直交方向のショットを撮る際に何かを回転させる必要がない。
−  治療室スペースは使用されないから、療法士が十分に利用可能なままである。
−  ガントリー・ローリング・フロアのためのスペースが部屋が利用可能なままであり、ＣＢＣＴの軽量構造が回転中、そのフロアを移動させる必要がない。
−  Ｘ−線ショットを撮る間、ガントリーを回転させる必要が無い。
【００２４】
図２及び３に示す患者位置決め画像形成装置は画像形成ビーム源１２１を連結することができる旋回アーム１２を具備する軽量の回転構造１０、及び画像形成ビームレシーバ１４１を運搬するために配置された旋回構造１４または引込式構造を含む。典型的には、画像形成ビーム源１２１は図２に示すように画像形成Ｘ−線照射源からなる。
装置のジオメトリーは、構造１０の後方に位置し、ガントリーの回転軸に沿った方向に向けられた画像形成Ｘ−線照射源の導入が可能なようにコーン・ビーム構造の中心を空の状態に保つことを可能にする。透孔１２２は、このＸ−線ビームが回転構造または折り畳まれた状態の旋回アーム１２を通過することを可能にする。
旋回アーム１２及び旋回構造１４は互いに異なる長さを有するから、それらは、図３に示すように、円滑に折り畳まれることができる。しかし、旋回アーム１２及び旋回構造１４を引っ込める方法は、例えば、横に並んで保持するアームなど、ほかにも考えられる。
図２及び３はまた、フラット・パネルが取り付けられている入れ子構造の通過を可能にする２つの凹部３０を示す。
【００２５】
典型的な実施例では、回転構造がハドロン治療装置の回転ガントリーの後方に取り付けられる。回転ガントリーと回転構造は、有利には、同じ回転軸を有する。
【００２６】
図４Ａ及び４Ｂは、ハドロン治療装置のガントリーに取り付けられた患者位置決め画像形成装置を示す。それぞれ（回転構造が後方にある）正面図と（ハドロン治療装置のガントリーを通して見た）頂面図である。図４Ａは、折り畳まれていない状態の回転構造を示し、図４Ｂは、折り畳まれた休止位置にある回転構造を示す。画像形成ビームレシーバ１４１はＸ線管構造１２１の上方で折り畳まれている。図４Ａは、患者保定装置（即ち、３つの並進運動の、及び３つの回転運動の自由度に沿ってベッド２８を移動させることができる機械装置）が患者をガントリー２０の後方のいわゆる‘ＣＢＣＴセットアップ位置’へ移動させたときのベッド２８上に横たわっている患者を示す。患者位置決め画像形成装置を折り畳まれていない状態にあり、画像形成ビーム源１２１及びフラット・パネル・イメージャ１４１がＣＢＣＴ画像を得るために使用される。図４Ｂでは、旋回アーム１２及び旋回構造１４が折り畳まれた状態にあり、患者はセットアップ位置または治療位置にあってノズル２５からの治療用ビームを照射される。尚、ＣＢＣＴ画像が得られる位置であるＣＢＣＴセットアップ位置（図４Ａ）と、図４Ｂの治療位置との間にずれ（ｏｆｆｓｅｔ）があることがわかる。また、ガントリー２０の後方に取り付けられた場合の位置決め画像形成装置の最低位はフロアのレベルよりもまだ上方にあることがわかる。従って、ガントリー・フロアを所定の位置に置いたまま回転構造１０をフル回転させることができる。
【００２７】
特定の実施例では、フラット・パネル・イメージャは横長であり、１９４ミクリンピクセルピッチの３９．７ｘ２９．８ｃｍ２の有効エリア及び２０４８ｘ１５３６ピクセルの画素数を有する。最大解像モードでは７．５ｆｐｓのフレーム・レートで機能し、２ｘ２ビン分割モードでは３０ｆｐｓのフレーム・レートで機能することができるが、この場合の画素数は１０２４ｘ７６８ｐｉｘｅｌ２に下がる。
例えば、フラット・パネル・イメージャとして、カリフォルニア州パロ・アルト市に所在のヴァリアンメディカルシステムズ（ＶＡＲＩＡＮ  ＭＥＤＩＣＡＬ  ＳＹＳＴＥＭＳ）社から商品名パックススキャン（ＰＡＸＳＣＡＮ）４０３０Ａで入手可能なアモルファス・シリコン（Ａ−ＳＩ）イメージャを使用することができる。パックススキャン（ＰＡＸＳＣＡＮ）４０３０Ａ検出器はそれぞれ４０ｃｍｘ３０ｃｍである。これらの検出器は、コントラスト解像度及びダイナミック・レンジを改善するための、米国特許第６４８６８０８号明細書に記載されているような、動的制御可能な信号利得を備えたプリアンプ回路を含む信号処理回路に接続されている。
【００２８】
本発明の解決策はまた、いわゆるガントリー・ローリング・フロア、即ち、ガントリーの回転中、水平位置のままであるフロアを備えた治療装置に組み入れられるのに適用している。
【００２９】
図５は、回転構造１０が伸展式支持アーム５０に取り付けられた特定の実施形態を示す。伸展式支持アーム５０は複数の位置設定が可能である。図５Ａに示されているように、画像形成ビーム源１２１及び画像形成ビームレシーバ１４１が非オフセット位置、即ち、アイソセンターにおいて使用されることが可能である。画像形成ビームレシーバ及び画像形成ビーム源は、下記の異なる２通りの様式でアイソセンターにおいて使用されてもよい。：
−  回転構造の回転を伴わない。画像形成システムは、例えば、骨格上の目印に基づいて患者の位置をチェックするため、患者のスチール・ラジオグラフを撮るために利用されてもよい。あるいは、画像形成システムがフルオロスコピーのために利用されてもよい。フルオロスコピーの場合、患者の動作をモニターするため、例えば、患者の呼吸サイクルをモニターするために連続するラジオグラフが撮られる。
−  回転構造の回転を伴う。患者の周りを画像形成ビームレシーバと画像形成ビーム源が回転して連続する射影を得る。コーン・ビーム・コンピュータ断層撮影と異なり、幾何学的なノズルとの衝突のために、患者の周りを３６０°回転させることは不可能である。記録できるのは円弧に沿った部分的な射影だけである。例えば、デジタル断層画像を利用したこの不完全なデータ・セットから、患者の３Ｄ構造を再構成するためにアルゴリズムが利用されてもよい。
あるいは（図５に示す）、伸展式または旋回アーム１２だけが引っ込められてもよい。この場合、画像形成ビームレシーバがノズルにおけるＸ−線管と併用されてもよい。
【００３０】
他の好ましい実施形態では、患者位置決め画像形成システムが折り畳み式旋回アームではなく、伸縮可能なアームを有していてもよい。同様に、折り畳み式旋回構造を伸展式構造に代えてもよい。図６Ａは、引っ込んだ位置にある回転構造１０を示す。図６Ｂは、伸展した位置にある回転構造１０を示す。図６Ｂでは、画像形成ビームレシーバ１４１お画像形成ビーム源１２１とが共に伸展している。回転構造は図６Ａに示された位置に対して４５°だけ半時針方向に回転している。図６Ｃは、伸展した位置にある回転構造を示す。図６Ｂに加えて、画像形成ビームレシーバ１４１が、画像形成容積を増大させるために、回転構造及び画像形成ビーム源の回転軸によって画定される平面と直交する方向にシフトしている。図６Ｄは、本発明によってもたらされる重要な効果を示す。引っ込んだ位置にある回転構造を備えた、別の画像形成技術を提供するもう一つの画像形成構造が伸展されてもよいことを示す。換言すると、図６Ｄは、回転構造１０が他の画像形成技術の利用に適していることを例証している。図６Ｅでは、回転構造が再び伸展している。伸展式支持アーム５０も伸展した位置にある。この状態では、伸展式構造上の画像形成ビームレシーバと伸展式アーム上の画像形成ビーム源を、上述したように非オフセット位置において使用することができる。最後に、図６Ｆは、引っ込んだ位置にある回転構造を、引っ込んだ位置にあるロ−リング・フロアとともに示す。
【００３１】
本発明は、ハドロン治療セッションを開始する前に患者位置決めに関する情報を求める方法にも係わる。
【００３２】
最初に、‘ＣＢＣＴセットアップ位置’という概念を明らかにしなければならない。この位置の狙いは従来の‘セットアップ位置’と全く同じである。それら２つの位置の間の唯一の違いは、ガントリー軸方向の所与のずれ（ｏｆｆｓｅｔ）である。典型的な距離は、現行の患者位置決め装置で得られる８５０−１０００  ＭＭの範囲である。
【００３３】
（ＣＢＣＴを利用して）位置補正値が算出されると、療法士は、患者位置決め装置を利用して、ガントリー軸方向における逆の所与のずれ（ｏｆｆｓｅｔ）に加えて所要の並進及びアイソセントリックな回転を引き起こす。方法は下記のステップを含む。：
１．患者を治療位置近くのベッド（２８）上に載せる、
２．上述の患者位置決め画像形成装置の旋回アーム１２及び旋回構造１４を展開する、
３．患者保定装置を利用して回転ガントリーの回転軸の方向におけるオフセット位置にベッドの位置を合わせる、
４．患者位置決め画像形成装置の回転構造（１０）の回転を引き起こして連続するＣＢＣＴショットを得る、
５．患者の３Ｄ画像を算出する、
６．３Ｄ画像を治療計画システム（ＴＰＳ）からもたらされた画像と（手動または自動で）比較して患者保定装置のための補正ベクトルを計算する、
７．患者保定装置を前記補正ベクトルに基づいて補正された位置へ移動させる。
尚、
・‘ＣＢＣＴセットアップ位置’（即ち、オフセット位置）へ移動する前、
・‘ＣＢＣＴセットアップ位置’と治療位置との間、
・患者が治療位置に置かれて、且つ治療が開始される前
のいずれの時点においても、療法士は１または２以上のＸ−線ショットを撮ってそれらを対応するＤＲＲと比較して、位置合わせのプロセスをチェックし、必要に応じて対策を講ずることができる。
【００３４】
回転構造１０が伸展式支持アーム５０に取り付けられている実施形態は、有利には、ハドロンビーム治療に利用される患者の位置または患者の呼吸サイクルの相を求める方法に利用され得る。この方法は下記のステップを含む。：
−  患者を治療位置近くのベッド（２８）上に置く、
−  上記患者位置決め画像形成装置の前記旋回構造及び前記旋回アームを展開するか、または伸展式構造及び伸展式アームを伸展させる、
−  伸展式支持アーム（５０）を伸展させて患者位置決め画像形成装置をアイソセンターに移動させる、
−  ラジオグラフィまたはフルオロスコピーを利用して患者の位置または患者の呼吸サイクルに関する情報を求める。
【００３５】
本発明の設計及び方法を利用すれば、回転ガントリー（２０）を定位置に維持したまま回転構造（１０）を回転させることによって種々の角度から連続するＣＢＣＴショットを得ることができる。ハドロン治療装置で使用される回転ガントリー（２０）は重い装置であり、画像取得に当てられた時間内では容易に動かすことはできない。
【図面の簡単な説明】
【００３６】
【図１】最先端のＣＢＣＴ画像取得システムを示す。
【図２】可動アームが折り畳まれていない状態にある本発明の患者位置決め画像形成装置を示す。
【図３】可動アームが折り畳まれた状態にある本発明の患者位置決め画像形成装置を示す。
【図４ａ】本発明の折り畳まれていない患者位置決め画像形成装置を含む治療装置とＣＢＣＴセットアップ位置（オフセット位置）にある患者の正面図及び頂面図を示す。
【図４ｂ】図４Ｂは、折り畳まれた患者位置決め画像形成装置を含む治療装置と治療位置にある患者の正面図及び頂面図を示す。
【図５】回転構造が伸展式支持アームに取付けられている実施例を示す。
【図６】伸展式アーム及び伸展式構造を備えた実施例を示す。
【図１】
2008522677.tif 000003
【図２】
2008522677.tif 000004
【図３】
2008522677.tif 000005
【図４ａ】
2008522677.tif 000006
【図４ｂ】
2008522677.tif 000007
【図５ａ】
2008522677.tif 000008
【図５ｂ】
2008522677.tif 000009
【図６ａ】
2008522677.tif 000010
【図６ｂ】
2008522677.tif 000011
【図６ｃ】
2008522677.tif 000012
【図６ｄ】
2008522677.tif 000013
【図６ｅ】
2008522677.tif 000014
【図６ｆ】
2008522677.tif 000015
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
回転ガントリー（２０）及び患者位置決め用患者位置決め画像形成装置を含むハドロン治療装置であって、
前記患者位置決め画像形成装置が、画像形成ビーム源（１２１）を連結するように配置された伸展式アームまたは折り畳み式旋回アーム（１２）を具備する回転構造（１０）及び画像形成ビームレシーバ（１４１）を運搬するために配置された伸展式構造または折り畳み式旋回構造（１４）を含み、
前記回転構造（１０）が、前記患者が前記ハドロン治療装置のアイソセンターに対するオフセット位置に位置決めされている間に前記患者のＣＢＣＴショットを撮るために配置されており、前記オフセット位置が前記回転ガントリー（２０）の回転軸の方向にあり、前記回転構造（１０）が、前記回転ガントリー（２０）が固定されたままである間、且つ前記伸展式または旋回アーム（１２）及び前記伸展式または旋回構造（１４）が伸展した、または折り畳まれていない位置にある間、回転するように配置されていることを特徴とする前記ハドロン治療装置。
【請求項２】
前記画像形成ビーム源（１２１）が画像形成Ｘ−線照射源を含むことを特徴とする請求項１に記載のハドロン治療装置。
【請求項３】
前記画像形成ビームレシーバがフラットな画像パネルであることを特徴とする請求項１または２に記載のハドロン治療装置。
【請求項４】
前記回転構造（１０）に前記旋回アーム（１２）が設けられており、前記旋回アームが、さらに、前記旋回アームが折り畳まれた位置にある時にＸ−線ビームが前記旋回アーム（１２）を通過することを可能にする透孔（１２２）をも有することを特徴とする請求項１から請求項３までのいずれか１項に記載のハドロン治療装置。
【請求項５】
前記回転構造（１０）に前記旋回アーム（１２）及び前記旋回構造（１４）が設けられており、前記旋回アーム（１２）及び前記旋回構造（１４）が異なる長さを有することを特徴とする請求項１から請求項４までのいずれか１項に記載のハドロン治療装置。
【請求項６】
前記回転構造（１０）が、さらに、少なくとも１つの凹部（３０）を有することを特徴とする請求項１から請求項５までのいずれか１項に記載のハドロン治療装置。
【請求項７】
前記ハドロン治療装置の前記回転構造（１０）及び前記回転ガントリー（２０）が同じ回転軸を有することを特徴とする請求項１から請求項６までのいずれか１項に記載のハドロン治療装置。
【請求項８】
前記回転構造（１０）が前記回転ガントリー（２０）の後方に取付けられていることを特徴とする請求項１から請求項７までのいずれか１項に記載のハドロン治療装置。
【請求項９】
前記回転構造（１０）が、伸展式支持アーム（５０）を介して前記回転ガントリー（２０）の後方に取付けられていることを特徴とする請求項８に記載のハドロン治療装置。
【請求項１０】
さらに、フラット・パネルが取付けられた入れ子構造をも含み、前記構造が前記凹部（３０）の上を移動可能であることを特徴とする請求項６に記載のハドロン治療装置。
【請求項１１】
ハドロン治療に使用される患者位置決め情報を求める方法であって、以下のステップを含むことを特徴とする前記方法：
−  患者を治療位置近くのベッド（２８）上に置く、
−  請求項１から請求項１０までのいずれか１項に記載のハドロン治療装置に含まれる患者位置決め画像形成装置の前記旋回構造及び前記旋回アームを展開するか、または前記伸展式構造及び前記伸展式アームを伸展させる、
−  患者保定装置を利用して前記回転ガントリーの回転軸の方向におけるオフセット位置に前記ベッドの位置を合わせる、
−  回転構造（１０）の回転を引き起こして連続するＣＢＣＴショットを撮る、
−  前記連続するＣＢＣＴショットに基づいて患者の３Ｄ画像を算出する、
−  ３Ｄ画像を治療計画システムからもたらされた画像と比較して前記患者保定装置のための補正ベクトルを計算する、
−  前記患者保定装置を前記補正ベクトルに基づいて補正された治療位置へ移動させる。
【請求項１２】
患者の位置または呼吸サイクルに関する情報を求める方法であって、前記情報はハドロン治療に使用されるべきものであり、以下のステップを含むことを特徴とする前記方法：
−  患者を治療位置近くのベッド（２８）上に置く、
−  請求項９に記載のハドロン治療装置に含まれる患者位置決め画像形成装置の前記旋回構造及び前記旋回アームを展開するか、または前記伸展式構造及び前記伸展式アームを伸展させる、
−  伸展式支持アーム（５０）を伸展させて患者位置決め画像形成装置を前記ハドロン治療装置のアイソセンターに移動させる、
−  ラジオグラフィまたはフルオロスコピーを利用して患者の画像を得て患者の位置または患者の呼吸サイクルに関する前記情報を求める。
【国際調査報告】
2008522677.tif 000016
2008522677.tif 000017